(57)【特許請求の範囲】
【請求項１】
物体側から像側へ順に、ズーミングのためには移動しない正の屈折力を有する第１レンズ群、ズーミングに際して移動する負の屈折力を有する第２レンズ群、少なくとも１群以上のズーミングに際して移動するレンズ群と、それに続く後レンズ群を有し、ズーミングに際して、となり合う各レンズ群の間隔が変化し、前記第１レンズ群は、フォーカシングのためには移動しない第１１サブレンズ群と、フォーカシングに際して移動する正の屈折力を有する第１２サブレンズ群と、を有するズームレンズであって、
前記第１１サブレンズ群は負レンズと正レンズを含み、前記第１レンズ群の焦点距離をｆ１、前記第１１サブレンズ群の最も像側のレンズ面から前記第１１サブレンズ群の後側主点位置までの光軸上の距離をＯＫ１１とし、望遠端における前記ズームレンズの焦点距離をｆｔとし、前記第１レンズ群の最も像側のレンズ面から前記第１レンズ群の後側主点位置までの光軸上の距離をＯＫ１とするとき、
−２５．００＜ＯＫ１１／ｆ１＜−０．８０
２．００＜ｆｔ／ｆ１＜７．００
−０．３０＜ＯＫ１／ｆ１≦−０．１１
なる条件を満足することを特徴とするズームレンズ。
但し、物体側から像側に向かう方向を正の方向とする。
【請求項２】
前記第１１サブレンズ群を構成する正レンズのアッベ数の平均値をνｄ１１ｐ、前記第１１サブレンズ群を構成する負レンズのアッベ数の平均値をνｄ１１ｎとするとき、
２０．００＜νｄ１１ｐ−νｄ１１ｎ＜４５．００
なる条件を満足することを特徴とする請求項１に記載のズームレンズ。
【請求項３】
前記第１２サブレンズ群を構成するレンズのアッベ数の平均値をνｄ１２とするとき、
７０．００＜νｄ１２＜１００．００
なる条件を満足することを特徴とする請求項１または２に記載のズームレンズ。
【請求項４】
前記第１１サブレンズ群の最も物体側のレンズが正レンズであり、最も像側のレンズが負レンズであることを特徴とする請求項１乃至３のいずれか１項に記載のズームレンズ。
【請求項５】
前記第１１サブレンズ群は、物体側から像側へ順に正レンズ、負レンズ、正レンズ、負レンズで構成されていることを特徴とする請求項１乃至４のいずれか１項に記載のズームレンズ。
【請求項６】
前記第２レンズ群の焦点距離をｆ２とするとき、
−８．００＜ｆ１／ｆ２＜−３．００
なる条件を満足することを特徴とする請求項１乃至５のいずれか１項に記載のズームレンズ。
【請求項７】
前記第２レンズ群を構成する正レンズのアッベ数と部分分散比の平均値をそれぞれν２ｐ、θ２ｐ、前記第２レンズ群を構成する負レンズのアッベ数と部分分散比の平均値をそれぞれν２ｎ、θ２ｎとしたとき、
−２．５０×１０-3＜（θ２ｐ−θ２ｎ）／（ν２ｐ−ν２ｎ）
＜−０．５０×１０-3
を満たすことを特徴とする請求項１乃至６のいずれか１項に記載のズームレンズ。
但し、部分分散比θはｇ線における屈折率をＮｇ、Ｆ線における屈折率をＮＦ、ｄ線における屈折率をＮｄ、Ｃ線における屈折率をＮＣとしたとき、
θ＝（Ｎｇ−ＮＦ）／（ＮＦ−ＮＣ）
で表される。
【請求項８】
前記第１レンズ群を構成する正レンズのアッベ数と部分分散比の平均値をそれぞれν１ｐ、θ１ｐ、前記第１レンズ群を構成する負レンズのアッベ数と部分分散比の平均値をそれぞれν１ｎ、θ１ｎとしたとき、
−８．００×１０-4＜（θ１ｐ−θ１ｎ）／（ν１ｐ−ν１ｎ）
＜−１．５０×１０-4
を満たすことを特徴とする請求項１乃至７のいずれか１項に記載のズームレンズ。
【請求項９】
請求項１乃至８のいずれか１項に記載のズームレンズと、
前記ズームレンズによって形成された光学像を光電変換する撮像素子を有することを特徴とする撮像装置。
【発明の詳細な説明】
【技術分野】
【０００１】
本発明は、ズームレンズ及びそれを有する撮像装置に関し、特に放送用テレビカメラ、映画用カメラ、ビデオカメラ、デジタルスチルカメラ等に好適なものである。
【背景技術】
【０００２】
近年、テレビカメラや映画用カメラ、ビデオカメラ、写真用カメラ等の撮像装置には、映像表現の拡大のため浅い被写界深度や美しいボケ味を特徴とする大判カメラが用いられている。大判カメラに装着するズームレンズとして、機動性の確保と撮影自由度の向上のため小型軽量で、高ズーム比、且つ高い光学性能を有したズームレンズが要望されている。高ズーム比のズームレンズとして、特許文献１、２で提案されているように最も物体側に正の屈折力のレンズ群を配置し、全体として４つ以上のレンズ群により構成されるポジティブリード型のズームレンズが知られている。
【０００３】
特許文献１では、４群より構成されるズームレンズで、望遠端画角が０．７度程度、ズーム比が１５倍程度のズームレンズが提案されている。
【０００４】
特許文献２では、４群より構成されるズームレンズで、望遠端画角が１．６度程度でズーム比が３倍程度のズームレンズが提案されている。
【先行技術文献】
【特許文献】
【０００５】
【特許文献１】特開２００７−１３９８５８号公報
【特許文献２】特開２００４−０８５８４６号公報
【発明の概要】
【発明が解決しようとする課題】
【０００６】
一般的に撮像装置のイメージサイズが大きくなると、それに応じて装着するズームレンズも大型化する。従って、大判カメラに装着するズームレンズとして、機動性と撮影自由度の向上を達成しながら、大口径比・高ズーム比を達成するためにはレンズの小型・軽量化が課題となる。ズームレンズの小型・軽量化のためには、レンズ径が最も大きい第１レンズ群と、高ズーム比化に伴い移動量が増大する変倍レンズ群の小型化が重要である。
【０００７】
特許文献１のズームレンズに対し、更に大きな撮像素子に対応し、大口径比を維持しながら高ズーム比化を行う際の課題として、変倍レンズ群の有効径が増大し、変倍レンズ群を駆動する機構が大型化するため、レンズ全体の小型化が難しい。
【０００８】
特許文献２のズームレンズに対し、更に高ズーム比化を行う際の課題として、像面補正のための第３レンズ群の移動量の抑制が難しく、加えて第１レンズ群のレンズ全厚が大きいため、レンズ全体の小型化が難しい。
【０００９】
本発明は、第１レンズ群内及び、第１レンズ群とズーミングに関わるレンズ群の近軸屈折力配置を適切に規定することで、大型センサに対応し、大口径比・高ズーム比ながら、小型・軽量化が両立されたズームレンズを達成することを目的とする。
【課題を解決するための手段】
【００１０】
上記目的を達成するために、本発明のズームレンズは、物体側から像側へ順に、ズーミングのためには移動しない正の屈折力を有する第１レンズ群、ズーミングに際して移動する負の屈折力を有する第２レンズ群、少なくとも１群以上のズーミングに際して移動するレンズ群と、それに続く後レンズ群を有し、ズーミングに際して、となり合う各レンズ群の間隔が変化し、前記第１レンズ群は、フォーカシングのためには移動しない第１１サブレンズ群と、フォーカシングに際して移動する正の屈折力を有する第１２サブレンズ群と、を有するズームレンズであって、
前記第１１サブレンズ群は負レンズと正レンズを含み、前記第１レンズ群の焦点距離をｆ１、前記第１１サブレンズ群の最も像側のレンズ面から前記第１１サブレンズ群の後側主点位置までの光軸上の距離をＯＫ１１とし、望遠端における前記ズームレンズの焦点距離をｆｔとし、前記第１レンズ群の最も像側のレンズ面から前記第１レンズ群の後側主点位置までの光軸上の距離をＯＫ１とするとき、
−２５．００＜ＯＫ１１／ｆ１＜−０．８０
２．００＜ｆｔ／ｆ１＜７．００
−０．３０＜ＯＫ１／ｆ１≦−０．１１
なる条件を満足することを特徴とする。但し、物体側から像側に向かう方向を正の方向とする。
【発明の効果】
【００１１】
本発明によれば、大型センサに対応し、大口径比・高ズーム比ながら、小型・軽量化が両立されたズームレンズを達成することができる。
【図面の簡単な説明】
【００１２】
【図１】実施例１のズームレンズの無限遠フォーカス状態の広角端におけるレンズ断面図である。
【図２】実施例１のズームレンズの無限遠フォーカス状態の、（Ａ）広角端、（Ｂ）焦点距離４００ｍｍ、（Ｃ）望遠端における縦収差図である。
【図３】実施例２のズームレンズの無限遠フォーカス状態の広角端におけるレンズ断面図である。
【図４】実施例２のズームレンズの無限遠フォーカス状態の、（Ａ）広角端、（Ｂ）焦点距離５００ｍｍ、（Ｃ）望遠端における縦収差図である。
【図５】実施例３のズームレンズの無限遠フォーカス状態の広角端におけるレンズ断面図である。
【図６】実施例３のズームレンズの無限遠フォーカス状態の、（Ａ）広角端、（Ｂ）焦点距離１８０ｍｍ、（Ｃ）望遠端における縦収差図である。
【図７】実施例４のズームレンズの無限遠フォーカス状態の広角端におけるレンズ断面図である。
【図８】実施例４のズームレンズの無限遠フォーカス状態の、（Ａ）広角端、（Ｂ）焦点距離４５０ｍｍ、（Ｃ）望遠端における縦収差図である。
【図９】本発明の撮像装置の要部概略図である。
【図１０】実施例１の軸上マージナル光線の光路図である。
【発明を実施するための形態】
【００１３】
以下、本発明のズームレンズの実施の形態を、添付の図面に基づいて詳細に説明する。
【００１４】
本発明のズームレンズは、物体側から像側へ順に、ズーミングのためには不動の正の第１レンズ群を有する。更に、ズーミングに際して移動する負の屈折力の第２レンズ群、少なくとも１群以上のズーミング用もしくはズーミングに伴う像面補正用のレンズ群と、それに続く後群Ｕｒを有する。ここでレンズ群がズーミングのためには不動というのは、レンズ群がズーミングを行う目的で駆動されることは無いが、ズーミングとフォーカシングとを同時に行う場合があれば、フォーカシングのために移動することはあり得るということである。
【００１５】
各実施例のズームレンズは、第１レンズ群内の近軸屈折力配置や、第１レンズ群と第２レンズ群の近軸屈折力配置の関係を適切に決定することで、高ズーム比・超望遠のズームレンズながら、大型センサに対応する場合も小型軽量化を実現している。
【００１６】
具体的には、本発明のズームレンズは、物体側から順にズーミングのためには移動しない正の第１レンズ群、ズーミングに際して移動する負の屈折力を有する第２レンズ群、少なくとも１群以上のズーミング用もしくはズーミングに伴う像面補正用のレンズ群と、それに続く後群Ｕｒを有する。第１レンズ群は、フォーカシング（焦点調整）に際して固定の第１１サブレンズ群と、フォーカシングに際して光軸方向に移動する正の第１２サブレンズ群を有するズームレンズである。第１１サブレンズ群は負レンズと正レンズを含む。第１レンズ群の焦点距離をｆ１、第１１サブレンズ群の最も像側のレンズ面から第１１サブレンズ群の後側主点位置までの距離をＯＫ１１、第１レンズ群の最も像側のレンズ面から第１レンズ群の後側主点位置までの距離をＯＫ１とし、望遠端におけるズームレンズの焦点距離をｆｔとするとき、
−０．３０＜ＯＫ１／ｆ１≦−０．１１      ・・・（１）
−２５．００＜ＯＫ１１／ｆ１＜−０．８０  ・・・（２）
２．００＜ｆｔ／ｆ１＜７．００            ・・・（３）
なる条件を満足する。但し、光軸に沿って物体側から像側に向かう方向を正の方向とする。
【００１７】
条件式（１）は、第１レンズ群の焦点距離ｆ１と、第１レンズ群の最も像側のレンズ面から第１レンズ群の後側主点位置までの距離ＯＫ１の関係を規定している。以降の説明では、第ｉ群の最も像側のレンズ面から第ｉ群の後側主点位置までの距離を、第ｉ群の後側主点距離と定義し説明する。
【００１８】
以下、図１０を用いて詳細に説明する。図１０は実施例１における概略光路図である。図１０中のＵ１１〜Ｕ４は、それぞれ第１１サブレンズ群〜第４レンズ群である。図１０に示すように、第１レンズ群の後側主点位置を物体側に変位させることにより、第１レンズ群と第２レンズ群の主点間隔が増大し、第２レンズ群に入射する光束径を下げることが可能となり、大口径化が可能となる。また、第２レンズ群の径や、それらを保持・駆動するための鏡筒なども小型化することが容易となる。しかしながら、第１レンズ群の後側主点位置を物体側に変位させるためには、第１レンズ群内において物体側に配置される正のレンズ群、及び像側に配置される負の屈折力を有するレンズ群の屈折力をそれぞれ増大させる必要がある。これにより、球面収差やコマ収差、軸上色収差等の高次収差が発生してしまう。
【００１９】
以上より、第１レンズ群の焦点距離と第１レンズ群の最も像側のレンズ面から第１レンズの後側主点位置までの距離の比を適切に設定することが、小型軽量、高性能の両立を達成するために必要である。
【００２０】
条件式（１）の上限を超えると、第１レンズ群の後側主点位置が物体側への変位量が大きくなり過ぎ、前述のように第１レンズ群内における各レンズ群の屈折力が増大することにより発生する高次収差の補正が困難となる。条件式（１）の下限を超えると、第１レンズ群の後側主点位置が物体側への変位量が小さくなり過ぎ、第１レンズ群以降のレンズ径やそれらを保持・駆動する機構が増大してしまい小型軽量を達成することが困難となる。
【００２１】
条件式（２）は、第１レンズ群の焦点距離ｆ１と、第１１サブレンズ群の後側主点距離の関係を規定している。
【００２２】
条件式（２）の上限を超えると、第１１サブレンズ群の後側主点位置が物体側への変位量が大きくなり過ぎ、前述のように第１１サブレンズ群内における各レンズ群の屈折力が増大することにより発生する高次収差の補正が困難となる。条件式（２）の下限を超えると、第１レンズ群の後側主点位置が物体側への変位量が小さくなり過ぎ、第１レンズ群以降のレンズ径やそれらを保持・駆動する機構が増大してしまい小型軽量を達成することが困難となる。
【００２３】
本発明では、第１１サブレンズ群に第１レンズ群の後側主点位置を物体側に大きく変位させる役割を持たせている。第１２サブレンズ群で第１レンズ群の後側主点位置を物体側に変位させる役割を分担させる場合、前述したように第１２サブレンズ群内に負の屈折力を有する素子を配置する必要がある。第１２サブレンズ群に負の屈折力を有する素子を配置する場合、レンズ群内の軸上色収差や球面収差といった諸収差を補正するためにレンズ枚数が多くなるため、第１２サブレンズ群が相対的に大型化してしまう。第１２サブレンズ群は、フォーカス調整を行う際に移動するレンズ群であるため、レンズを駆動する機構の大型化を招き、駆動するための消費電力の増大や更なる重量増加につながる。
【００２４】
条件式（３）はレンズ全系における望遠端焦点距離と第１レンズ群の焦点距離の比を規定することにより、小型軽量、高倍率且つ高性能の両立を達成するための条件を規定している。
【００２５】
小型軽量化と高倍率化の両立を達成するためには、第１レンズ群の焦点距離ｆ１を小さくすることが望ましい。f１を小さくすると、第１レンズ群の像点位置、即ち第２レンズ群の物点位置が第２レンズ群に近づくため、ズーミングに必要なストローク量を低減することが可能となるためである。
【００２６】
しかしながら、第１レンズ群の焦点距離ｆ１を小さくすると、式（Ａ）に示すように、所定のズームレンズにおける焦点距離ｆｍを得るためには第１レンズ群以降の結像倍率を大きくする必要がある。
ｆｍ＝ｆ１×β２ｍ×β３ｍ×βｒ  ・・・（Ａ）
β２ｍは第２レンズ群の結像倍率、β３ｍは第３レンズ群の結像倍率である。βｒは第４レンズ群の結像倍率である。
【００２７】
第１レンズ群以降の結像倍率が大きいと、特に望遠端において第１レンズ群で発生する球面収差、軸上色収差等の拡大率が増大するため、高性能化を達成することが困難となる。以上より、第１レンズ群の焦点距離を適切な範囲に設定することが、小型軽量、高倍率且つ高性能を達成するために必要である。
【００２８】
条件式（３）の上限を超えると、ズームレンズにおける望遠端焦点距離に対する第１レンズ群の焦点距離が小さくなり過ぎ、高性能化を達成することが困難となる。条件式（３）の下限を下回ると、ズームレンズにおける望遠端焦点距離に対する第１レンズ群の焦点距離が大きくなり過ぎ、小型軽量化、高倍率化を達成することが困難となる。
【００２９】
好ましくは条件式（３）の数値範囲を次の如く設定するのが良い。
２．４０＜ｆｔ／ｆ１＜６．３              ・・・（３ａ）
【００３０】
各実施例において更に好ましくは、次の諸条件のうち１以上を満足するのが良い。
【００３１】
更なる本発明のズームレンズの態様として、第１１サブレンズ群内に使用する光学材料の分散の関係を規定している。第１１サブレンズ群を構成する正レンズのアッべ数の平均値をνｄ１１ｐ、第１サブレンズ群を構成する負レンズのアッべ数の平均値をνｄ１１ｎとするとき、下記条件式を満足することが好ましい。
２０．００＜νｄ１１ｐ−νｄ１１ｎ＜４５．００  ・・・（４）
【００３２】
条件式（４）を満足することで、望遠端の軸上色収差補正と小型化を両立することが容易となる。条件式（４）の上限を超えると、第１１サブレンズ群内の色収差補正には有利であるが、第１１サブレンズ群を構成する各レンズの屈折力が弱くなり、第１１サブレンズ群の後側主点位置を物体側に遠く変位させることが難しく、小型化が困難となる。条件式（４）の下限を下回ると、望遠端での軸上色収差を補正するために、負レンズの屈折力が強くなりすぎ、各レンズ面での曲率半径が小さくなった結果、望遠端の球面収差の高次収差が増大し、良好な光学性能を得ることが困難となる。
【００３３】
更に好ましくは条件式（４）の数値範囲を次の如く設定するのが良い。
２３．００＜ νｄ１１ｐ−νｄ１１ｎ ＜４２．００  ・・・（４ａ）
【００３４】
更なる本発明のズームレンズの態様として、第１２サブレンズ群内に使用する光学材料の分散の平均値を規定している。第１２サブレンズ群を構成するレンズのアッべ数の平均値をνｄ１２とするとき、下記条件式を満足することが好ましい。
７０．００＜νｄ１２＜１００．００  ・・・（５）
【００３５】
条件式（５）を満足することで、フォーカス調整時の軸上色収差の変動を抑制することができる。条件式（５）の上限を超えると、フォーカス時の色収差変動の抑制には有利であるが、望遠端での軸上色収差の補正が過剰となり、良好な光学性能を得ることが困難となる。条件式（５）の下限を下回ると、望遠端での軸上色収差や、フォーカス時の軸上色収差を補正することが困難となり、良好な光学性能を得ることができない。
【００３６】
更に好ましくは条件式（５）の数値範囲を次の如く設定するのが良い。
７５．００＜νｄ１２＜９７．００  ・・・（５ａ）
【００３７】
更なる本発明のズームレンズの態様として、第１１サブレンズ群内のレンズ配置を規定している。第１１サブレンズ群は、最も物体側のレンズが正レンズであり、最も像側のレンズが負レンズであることが好ましい。最も像側に負レンズを配置することで、第１１サブレンズ群の後側主点距離をより負に大きくすることが容易となる。また、最も物体側に正レンズを配置することで、第１１サブレンズ群の後側主点距離を負に大きくすることが容易となる。後側主点位置を負に大きくすることが不利な構成とする場合、後側主点位置を変位させるために、負レンズの屈折力が極端に強くなり、軸上色収差や、高次の球面収差が大きく発生する要因となるため、良好な光学性能を得ることが困難となる。
【００３８】
更なる本発明のズームレンズの態様として、第１１サブレンズ群内のレンズ配置を詳細に規定している。前記第１１サブレンズ群は、物体側から像側へ順に正レンズ、負レンズ、正レンズ、負レンズで構成されていることが好ましい。この順にレンズを配置することで、第１１サブレンズ群の後側主点距離を負に大きくすることが容易となることに加え、各面で発生する球面収差や軸上色収差を良好に補正することができ、望遠端で高い光学性能を得ることが可能となる。
【００３９】
更なる本発明のズームレンズの態様として、第１レンズ群の焦点距離と第２レンズ群の焦点距離の関係を規定している。第２レンズ群の焦点距離をｆ２とするとき、下記条件式を満足することが好ましい。
−８．００＜ｆ１／ｆ２＜−３．００  ・・・（６）
【００４０】
条件式（６）を満足することで、軸上色収差を良好に補正しながらズーミングに伴う第２レンズ群の移動量を低減し、高倍率化を達成しながらレンズ全長を短縮している。条件式（６）の上限を超えると、第２レンズ群の焦点距離が相対的に短くなり、小型化には有利であるが、ズーミングに伴う収差変動が増大する。条件式（６）の下限を下回ると、第２レンズ群の焦点距離が相対的に長くなるため、ズーミングによる第２レンズ群の移動量が増大して全系が大型化し、小型軽量化が困難となる。
【００４１】
更に好ましくは条件式（６）の数値範囲を次の如く設定するのが良い。
−７．３０＜ｆ１／ｆ２＜−４．００  ・・・（６ａ）
【００４２】
更なる本発明のズームレンズの態様として、第２レンズ群内に使用する光学材料の部分分散比を規定している。第２レンズ群を構成する正レンズのアッベ数と部分分散比の平均値をそれぞれν２ｐ、θ２ｐ、負レンズのアッベ数と部分分散比の平均値をそれぞれν２ｎ、θ２ｎとしたとき、下記条件式を満足することが好ましい。
−２．５０×１０-3＜（θ２ｐ−θ２ｎ）／（ν２ｐ−ν２ｎ）
＜−０．５０×１０-3  ・・・（７）
【００４３】
ここで、本発明で用いている光学素子（レンズ）の材料のアッベ数と部分分散比は以下の通りである。フラウンフォーファ線のｇ線（４３５．８ｎｍ）、Ｆ線（４８６．１ｎｍ）、ｄ線（５８７．６ｎｍ）、Ｃ線（６５６．３ｎｍ）における屈折率をそれぞれＮｇ、ＮＦ、Ｎｄ、ＮＣとすると、アッベ数νｄ、ｇ線とＦ線に関する部分分散比θｇＦは以下の通りである。
νｄ＝（Ｎｄ−１）／（ＮＦ−ＮＣ）      ・・・（Ｂ）
θｇＦ＝（Ｎｇ−ＮＦ）／（ＮＦ−ＮＣ）  ・・・（Ｃ）
【００４４】
現存する光学材料は、アッベ数νｄに対して部分分散比θｇＦは狭い範囲に存在する。また、アッベ数νｄが小さいほど部分分散比θｇＦが大きい、アッベ数νｄが大きいほど屈折率が低い傾向を持っている。
【００４５】
条件式（７）の条件は、第２レンズでの倍率色収差の発生量を小さくするように規定している。条件式（７）の上限の条件が満たされないと、倍率色収差の２次スペクトルの補正には有利だが、第２レンズ群を構成する負レンズの屈折率が低くなり、負レンズの曲率半径が小さくなる。その結果、像面湾曲やコマ収差の高次収差が増大し、良好な光学性能の達成が困難となる。条件式（７）の下限の条件が満たされないと、倍率色収差の２次スペクトルが増加し、色収差を良好に補正することが困難となる。条件式（７）の数値範囲は次の如く設定するのが、更に好ましい。
−２．０×１０-3＜（θ２ｐ−θ２ｎ）／（ν２ｐ−ν２ｎ）
＜−０．８０×１０-3  ・・・（７ａ）
【００４６】
更なる本発明のズームレンズの態様として、第１レンズ群内に使用する光学材料の部分分散比を規定している。第１レンズ群を構成する正レンズのアッベ数と部分分散比の平均値をそれぞれν１ｐ、θ１ｐ、負レンズのアッベ数と部分分散比の平均値をそれぞれν１ｎ、θ１ｎとしたとき、
−８．００×１０-4＜（θ１ｐ−θ１ｎ）／（ν１ｐ−ν１ｎ）
＜−１．５０×１０-4  ・・・（８）
を満たしている。
【００４７】
条件式（８）は、望遠端の軸上色収差の補正と高い光学性能を達成するために規定している。
【００４８】
条件式（８）の上限を超えると、望遠端の軸上色収差の２次スペクトルの補正には有利だが、第２レンズ群を構成する正レンズの屈折率が低くなり、第２レンズ群を構成する正レンズの曲率半径が小さくなる。その結果、望遠端の球面収差の高次収差が増大し、良好な光学性能の達成が困難となる。条件式（８）の下限を下回ると、望遠端の軸上色収差の２次スペクトルが増加し、望遠端の色収差を良好に補正することが困難となる。条件式（８）の数値範囲は次の如く設定するのが、更に好ましい。
−６．５×１０-4＜（θ１ｐ−θ１ｎ）／（ν１ｐ−ν１ｎ）
＜−２．００×１０-4  ・・・（８ａ）
【００４９】
以下に、本発明のズームレンズの具体的な構成について、実施例とそれに対応する数値実施例のレンズ構成を説明する。
【実施例１】
【００５０】
図１は、本発明のズームレンズの実施例１としての数値実施例１の広角端（短焦点距離端）で、無限遠物体にフォーカスしているときのレンズ断面図である。図２は無限遠フォーカス状態における、（Ａ）広角端、（Ｂ）焦点距離４００ｍｍのズーム位置、（Ｃ）望遠端での収差図である。各レンズ断面図において、左方が被写体（物体）側（前方）で、右方が像側（後方）である。Ｕ１は不動の正の屈折力を有する第１レンズ群である。第１レンズ群Ｕ１は、物体側から像側へ順に正の屈折力を有する第１１サブレンズ群Ｕ１１、正の屈折力を有する第１２サブレンズ群Ｕ１２のサブユニットからなる。正の屈折力を有する第１２サブレンズ群Ｕ１２を光軸方向に移動させることでフォーカス調整を行う。Ｕ２はズーミングに際し移動する負の屈折力を有する第２レンズ群であり、光軸上を像面側へ移動させることにより、広角端から望遠端へのズーミングを行っている。Ｕ３はズーミングに際し移動する第３レンズ群であり、広角端から望遠端にかけて、光軸上を移動する。Ｕ４は固定レンズ群（後レンズ群）であり、正の屈折力を有する第４レンズ群（リレーレンズ群）である。第４レンズ群は物体側から像側へ順に正の屈折力を有する第４１サブレンズ群Ｕ４１、正の屈折力を有する第４２サブレンズ群Ｕ４２のサブユニットから成り、第４１サブレンズ群Ｕ４１と第４２サブレンズ群Ｕ４２の間には、固定の開口絞りＳＰが配置される。第４レンズ群Ｕ４内には、焦点距離変換用のコンバータ（エクステンダ）等が装着されても良い。ＩＰは像面であり、固体撮像素子やフィルム面といった撮像面に相当する。
【００５１】
各収差図において、球面収差における直線、二点鎖線はそれぞれｅ線，ｇ線である。非点収差における実線と一点鎖線はそれぞれサジタル像面（ΔＳ），メリディオナル像面（ΔＭ）であり、倍率色収差における二点鎖線はそれぞれｇ線である。非点収差および倍率色収差は、絞り位置における光束の中心を通る光線を主光線としたときの収差量を示している。ωは近軸での半画角、ＦｎｏはＦナンバーである。縦収差図では、球面収差は０．５ｍｍ、非点収差は０．５ｍｍ、歪曲は５％、倍率色収差は０．０５ｍｍのスケールで描かれている。尚、以下の各実施例において広角端と望遠端は第２レンズ群が機構上、光軸上を移動可能な範囲の両端に位置したときのズーミング位置をいう。これらレンズ断面図と収差図に関する説明は、以降の実施例においても、特に記載の無い限り全て同じである。
【００５２】
実施例１としての数値実施例１における第１レンズ群から第４レンズ群について説明する。第１レンズ群Ｕ１は、数値実施例１において第１レンズ面〜第８レンズ面に対応する第１１サブレンズ群Ｕ１１と、第９レンズ面〜第１２レンズ面に対応する第１２サブレンズ群Ｕ１２のサブユニットで構成されている。正の屈折力を有する第１１サブレンズ群Ｕ１１は物体側から像側へ順に正レンズ、負レンズ、正レンズ、負レンズにて構成されている。正の屈折力を有する第１２サブレンズ群Ｕ１２は２枚の正レンズにて構成されており、第１２サブレンズ群を光軸方向に移動させることでフォーカス調整を行う。第２レンズ群Ｕ２は、数値実施例１において第１３レンズ面〜第２１レンズ面に対応し、物体側から像側へ順に、負レンズ、負レンズと正レンズが貼り合わされた接合正レンズ、負レンズと正レンズで構成されている。第３レンズ群Ｕ３は、数値実施例１において第２２レンズ面〜第２４レンズ面に対応し、物体側から像側へ順に負レンズと正レンズが貼り合わされた接合負レンズで構成されている。第４レンズ群Ｕ４は、数値実施例１において第２５レンズ面〜第２８レンズ面に対応するＵ４１と、第３０レンズ面〜第４５レンズ面に対応するＵ４２のサブユニットで構成されている。Ｕ４１は、２枚のレンズで構成されている。Ｕ４２は、物体側から順に接合負レンズ、正レンズ、接合負レンズ、正レンズ、接合正レンズ、接合負レンズで構成される。非球面は第１３面と第２６面に用いられている。第１３面の非球面は像面湾曲のズームによる変動や望遠側の球面収差の変動を補正している。第２６面の非球面は、広角側の球面収差のズーム変動と、コマ収差の画角変動を抑制している。
【００５３】
本実施例の各条件式対応値を表１に示す。本数値実施例はいずれの条件式も満足しており、良好な光学性能を達成している。加えて、広角端焦点距離５０ｍｍ、ズーム比１８倍、広角端のＦｎｏが４．５、望遠端Ｆｎｏが７．０と、超望遠、高倍率、大口径比であり、焦点距離と半画角の積で求まる最大像高が１５．７ｍｍと、大判センサに対応するズームレンズながら小型化を達成している。
【実施例２】
【００５４】
本発明のズームレンズの実施例２としての数値実施例２における第１レンズ群から第４レンズ群について説明する。
【００５５】
図３は、実施例２のズームレンズの無限遠フォーカス状態の広角端におけるレンズ断面図である。図４は、実施例２のズームレンズの無限遠フォーカス状態の、（Ａ）広角端、（Ｂ）焦点距離５００ｍｍ、（Ｃ）望遠端における縦収差図である。
【００５６】
第１レンズ群Ｕ１は、数値実施例２において第１レンズ面〜第８レンズ面に対応する第１１サブレンズ群Ｕ１１と、第９レンズ面〜第１２レンズ面に対応する第１２サブレンズ群Ｕ１２のサブユニットで構成されている。正の屈折力を有する第１１サブレンズ群Ｕ１１は物体側から像側へ順に正レンズ、負レンズ、正レンズ、負レンズにて構成されている。正の屈折力を有する第１２サブレンズ群Ｕ１２は２枚の正レンズにて構成されており、第１２サブレンズ群を光軸方向に移動させることでフォーカス調整を行う。第２レンズ群Ｕ２は、数値実施例２において第１３レンズ面〜第１９レンズ面に対応し、物体側から像側へ順に、負レンズ、負レンズと正レンズが貼り合わされた接合正レンズ、負レンズで構成されている。第３レンズ群Ｕ３は、数値実施例２において第２０レンズ面〜第２２レンズ面に対応し、物体側から像側へ順に負レンズと正レンズが貼り合わされた接合負レンズで構成されている。第４レンズ群Ｕ４は、数値実施例２において第２３レンズ面〜第２９レンズ面に対応する第４１サブレンズ群Ｕ４１と、第３１レンズ面〜第４２レンズ面に対応する第４２サブレンズ群Ｕ４２のサブユニットで構成されている。第４１サブレンズ群Ｕ４１は、物体側から順に２枚の正レンズと、正レンズと負レンズが貼り合わされた接合負レンズで構成されている。第４２サブレンズ群Ｕ４２は、物体側から順に正レンズ、接合負レンズ、負レンズ、接合負レンズ、正レンズで構成される。非球面は第１３面と第２４面に用いられている。第１３面の非球面は像面湾曲のズームによる変動や望遠側の球面収差の変動を補正している。第２４面の非球面は、広角側の球面収差のズーム変動と、コマ収差の画角変動を抑制している。
【００５７】
本実施例の各条件式対応値を表１に示す。本数値実施例はいずれの条件式も満足しており、良好な光学性能を達成している。加えて、広角端焦点距離５０ｍｍ、ズーム比２４倍、広角端のＦｎｏが４．５、望遠端Ｆｎｏが１０．０と、超望遠、高倍率、大口径比であり、最大像高が１４．８ｍｍと、大判センサに対応するズームレンズながら小型化を達成している。
【実施例３】
【００５８】
本発明のズームレンズの実施例３としての数値実施例３における第１レンズ群から第４レンズ群について説明する。
【００５９】
図５は、実施例３のズームレンズの無限遠フォーカス状態の広角端におけるレンズ断面図である。図６は、実施例３のズームレンズの無限遠フォーカス状態の、（Ａ）広角端、（Ｂ）焦点距離１８０ｍｍ、（Ｃ）望遠端における縦収差図である。
【００６０】
第１レンズ群Ｕ１は、数値実施例３において第１レンズ面〜第７レンズ面に対応する第１１サブレンズ群Ｕ１１と、第８レンズ面〜第１１レンズ面に対応する第１２サブレンズ群Ｕ１２のサブユニットで構成されている。正の屈折力を有する第１１サブレンズ群Ｕ１１は物体側から像側へ順に正レンズ、負レンズと正レンズが接合された接合正レンズ、負レンズにて構成されている。正の屈折力を有する第１２サブレンズ群Ｕ１２は２枚の正レンズにて構成されており、第１２サブレンズ群を光軸方向に移動させることでフォーカス調整を行う。第２レンズ群Ｕ２は、数値実施例３において第１２レンズ面〜第２０レンズ面に対応し、物体側から像側へ順に、負レンズ、負レンズと正レンズが貼り合わされた接合正レンズ、負レンズと正レンズで構成されている。第３レンズ群Ｕ３は、数値実施例３において第２１レンズ面〜第２３レンズ面に対応し、物体側から像側へ順に負レンズと正レンズが貼り合わされた接合負レンズで構成されている。第４レンズ群Ｕ４は、数値実施例３において第２５レンズ面〜第４３レンズ面に対応する。Ｕ４は、物体側から像側へ順に正レンズ、接合正レンズ、正レンズ、２つの接合負レンズ、正レンズ、負レンズ、正レンズで構成されている。非球面は第１２面と第２６面に用いられている。第１２面の非球面は像面湾曲のズームによる変動や望遠側の球面収差の変動を補正している。第２６面の非球面は、広角側の球面収差のズーム変動と、コマ収差の画角変動を抑制している。
【００６１】
本実施例の各条件式対応値を表１に示す。本数値実施例はいずれの条件式も満足しており、良好な光学性能を達成している。加えて、広角端焦点距離４５ｍｍ、ズーム比１０倍、広角端のＦｎｏが４．０、望遠端Ｆｎｏが５．６と、超望遠、高倍率、大口径比であり、最大像高が１５．５ｍｍと、大判センサに対応するズームレンズながら小型化を達成している。
【実施例４】
【００６２】
本発明のズームレンズの実施例４としての数値実施例４における第１レンズ群から第５レンズ群について説明する。
【００６３】
図７は、実施例４のズームレンズの無限遠フォーカス状態の広角端におけるレンズ断面図である。図８は、実施例４のズームレンズの無限遠フォーカス状態の、（Ａ）広角端、（Ｂ）焦点距離４５０ｍｍ、（Ｃ）望遠端における縦収差図である。
【００６４】
第１レンズ群Ｕ１は、数値実施例４において第１レンズ面〜第８レンズ面に対応する第１１サブレンズ群Ｕ１１と、第９レンズ面〜第１２レンズ面に対応する第１２サブレンズ群Ｕ１２のサブユニットで構成されている。正の屈折力を有する第１１サブレンズ群Ｕ１１は物体側から順に正レンズ、負レンズ、正レンズ、負レンズにて構成されている。正の屈折力を有する第１２サブレンズ群Ｕ１２は２枚の正レンズにて構成されており、第１２サブレンズ群Ｕ１２を光屈折力を有する軸方向に移動させることでフォーカス調整を行う。第２レンズ群Ｕ２は、数値実施例４において第１３レンズ面〜第２３レンズ面に対応し、物体側から像側へ順に、負レンズ、正レンズと負レンズが貼り合わされた接合正レンズ、負レンズ、正レンズと負レンズで構成されている。第３レンズ群Ｕ３は、数値実施例４において第２４レンズ面〜第２８レンズ面に対応し、物体側から像側へ順に正レンズと負レンズが貼り合わされた接合正レンズ、正レンズで構成されている。第４レンズ群Ｕ４は、数値実施例４において第２９レンズ面〜第３３レンズ面に対応し、物体側から順に正レンズ、負レンズと正レンズが貼り合わされた接合正レンズで構成されている。第５レンズ群Ｕ５は、数値実施例４において第３５レンズ面〜第４８レンズ面に対応し、物体側から像側へ順に負レンズ、正レンズ、負レンズ、正レンズと、接合正レンズ、接合負レンズにて構成されている。非球面は第２６面に用いられており、広角側の球面収差のズーム変動と、コマ収差の画角変動を抑制している。
【００６５】
本実施例の各条件式対応値を表１に示す。本数値実施例はいずれの条件式も満足しており、良好な光学性能を達成している。加えて、広角端焦点距離４５ｍｍ、ズーム比２０倍、広角端のＦｎｏが４．５、望遠端Ｆｎｏが６．５と、超望遠、高倍率、大口径比であり、最大像高が１４．８ｍｍと、大判センサに対応するズームレンズながら小型化を達成している。
【００６６】
（撮像装置）
次に、上述した各ズームレンズを撮像光学系として用いた撮像装置について説明する。図９は各実施例のズームレンズを撮影光学系として用いた撮像装置（テレビカメラシステム）の要部概略図である。図９において１０１は実施例１〜４のいずれか１つのズームレンズである。
【００６７】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、ズーミングに際して移動する変倍部１１５、結像用のレンズ群１１６を有している。ＳＰは開口絞りである。ズーミング中に固定のレンズ群１１６は、光路中より挿抜可能な変倍光学系ＩＥを有している。
【００６８】
変倍部１１５には、光軸方向に駆動される為の駆動機構が備わっている。１１７、１１８は変倍部１１５及び開口絞りＳＰを電動駆動するモータ等の駆動手段である。尚、駆動機構を追加することでレンズ群１１４、１１５、１１６の全体、もしくは各レンズ群の一部は光軸方向に移動することによりフォーカシングを行うこともできる。１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の光学像を光電変換する固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００６９】
以上、本発明の好ましい実施形態について説明したが、本発明はこれらの実施形態に限定されず、その要旨の範囲内で種々の変形及び変更が可能である。
【００７０】
次に本発明の実施例１〜４に対応する数値実施例１〜４を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとｖｄｉおよびθgfiは第ｉ番目の光学部材の屈折率とアッベ数および、部分分散比である。焦点距離、Ｆナンバー、画角は、それぞれ無限遠物体に焦点を合わせたときの値を表している。ＢＦはレンズの最終面から像面までの距離を空気換算した値である。
【００７１】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
ｘ＝（ｙ2／ｒ）／｛１＋(１−ｋ×ｙ2／ｒ2)0.5｝＋A4×ｙ4＋A6×ｙ6＋A8×ｙ8＋A10×ｙ10＋A12×ｙ12
【００７２】
各実施例と前述した各条件式との対応を表１に示す。
【００７３】
（数値実施例１）
単位 mm
面データ
面番号      r         d        nd        vd       θgF     有効径   焦点距離
1      164.54198  17.02128  1.487490   70.23    0.5300    128.571    313.627
2    -2190.49132   1.00000  1.000000                      127.748           
3      163.40559   3.40000  1.729157   54.68    0.5444    121.685   -413.894
4      105.23588   5.74496  1.000000                      116.266           
5      118.29851  22.47999  1.433870   95.10    0.5373    115.912    211.723
6     -391.74363   1.50000  1.000000                      114.674           
7     -311.03637   3.20000  1.729157   54.68    0.5444    114.361   -162.188
8      192.99022  17.06673  1.000000                      110.421           
9      154.70242  17.13122  1.433870   95.10    0.5373    110.824    258.715
10     -398.94815   0.20000  1.000000                      110.169           
11      138.85079   7.13187  1.433870   95.10    0.5373    103.924    788.934
12      229.58667    (可変)  1.000000                      102.373           
13*   10889.24382   1.20000  1.772499   49.60    0.5521     31.612    -38.571
14       29.85572   5.86578  1.000000                       28.819           
15     -158.06465   1.00000  1.618000   63.33    0.5441     28.491    -42.804
16       31.99078   7.27954  1.720467   34.70    0.5834     28.180     31.994
17      -76.45010   3.05713  1.000000                       28.164           
18      -36.03783   1.00000  1.618000   63.33    0.5441     28.039    -53.837
19      460.54582   0.20000  1.000000                       29.129           
20       77.61472   2.84519  1.548141   45.79    0.5685     29.814    153.760
21      913.44529    (可変)  1.000000                       30.057           
22      -74.28603   1.00000  1.729157   54.68    0.5444     38.265    -70.334
23      168.94128   3.37550  1.846660   23.78    0.6205     39.859    174.819
24    -1285.45589    (可変)  1.000000                       40.470           
25       78.88308   8.43195  1.593490   67.00    0.5361     45.059     66.808
26*     -77.09230   1.00000  1.000000                       45.248           
27       50.04199   8.78266  1.595220   67.74    0.5442     43.822     62.753
28     -139.55383   3.00000  1.000000                       42.888           
29        0.00000   3.00000  1.000000                       38.132           
30     -139.46830   4.62298  1.438750   94.93    0.5343     36.278    149.353
31      -45.11036   1.20000  2.003300   28.27    0.5980     34.999    -30.099
32       94.96028   3.46019  1.000000                       34.196           
33       43.24218   9.03822  1.567322   42.80    0.5730     34.827     46.936
34      -64.97317   4.21679  1.000000                       34.071           
35     -367.83887   1.20000  2.001000   29.13    0.5997     29.285    -18.300
36       19.47519   8.01664  1.846660   23.78    0.6205     27.053     24.679
37      204.74268  43.19216  1.000000                       26.456           
38       47.06859   3.59028  1.487490   70.23    0.5300     21.605     76.226
39     -174.89753   7.38514  1.000000                       21.379           
40      -29.97651   1.00000  1.882997   40.76    0.5667     20.006    -15.430
41       25.64141   7.28780  1.717362   29.50    0.6048     21.063     17.553
42      -22.13650   2.00000  1.000000                       21.773           
43      -17.57471   1.00000  1.953750   32.32    0.5898     21.482    -26.173
44      -60.00000   8.53547  1.517417   52.43    0.5564     23.577     48.526
45      -18.62134   BF       1.000000                       26.369           
像面        ∞   
非球面データ
第13面
K = 9.77458e+004  A 4= 2.20189e-006  A 6= 2.88707e-011  A 8= 2.09078e-012  A10=-1.14265e-013  A12= 9.17677e-016  A14=-3.08089e-018  A16= 3.85985e-021  
第26面
K =-9.05930e-001  A 4= 7.04555e-007  A 6= 2.55835e-010  A 8=-9.15718e-013  A10= 2.78952e-015  A12=-2.67183e-018  A14=-1.00580e-021  A16= 2.50307e-024  
各種データ
ズーム比     18.00 
広角     中間     望遠
焦点距離      50.00   400.00   900.00  
Fナンバー      4.50     4.50     7.00  
半画角        17.59     2.27     1.01  
像高          15.85    15.85    15.85  
レンズ全長   450.92   450.92   450.92  
BF            45.92    45.92    45.92  
d12           10.00   120.50   137.50  
d21          137.35     7.78    13.34  
d24            4.99    24.06     1.50  
d45           45.92    45.92    45.92  
入射瞳位置    173.69   1202.69  2262.98  
射出瞳位置   -118.20  -118.20   -118.20  
前側主点位置  208.46   627.79  -1772.42  
後側主点位置   -4.08  -354.08   -854.08  
ズームレンズ群データ
群  始面    焦点距離  レンズ構成長  前側主点位置  後側主点位置
1    1     225.00        95.88        36.28        -45.00
2   13     -33.00        22.45         2.61        -13.60
3   22    -118.37         4.38        -0.24         -2.64
4   25      53.57       129.96        -4.67       -134.68
【００７４】
（数値実施例２）
単位 mm
面データ
面番号      r         d        nd        vd       θgF     有効径   焦点距離
1      163.52796  17.52677  1.496999   81.54    0.5374    121.931    265.856
2     -673.88220   1.00000  1.000000                      120.523           
3      135.03738   3.70000  1.772499   49.60    0.5521    111.442   -528.006
4      100.35493   4.58990  1.000000                      106.756           
5      108.78616  16.31248  1.433870   95.10    0.5373    105.998    261.508
6     2381.64315   4.34869  1.000000                      104.445           
7     -382.04680   3.20000  1.772499   49.60    0.5521    104.301   -159.307
8      183.50128  13.20363  1.000000                      100.762           
9      157.15620  10.85868  1.496999   81.54    0.5374    100.533    311.348
10   -12135.28995   0.20000  1.000000                       99.953           
11      252.22314   7.96434  1.496999   81.54    0.5374     98.133    445.272
12    -1829.62885    (可変)  1.000000                       97.210           
13*    -476.80680   1.20000  1.729157   54.68    0.5444     38.718    -42.539
14       33.36583   4.07612  1.000000                       34.750           
15      163.34864   1.00000  1.618000   63.33    0.5441     34.716    -47.723
16       25.00305  10.15149  1.720467   34.70    0.5834     33.071     30.091
17     -142.53929   5.31348  1.000000                       32.043           
18      -34.77696   1.00000  1.696797   55.53    0.5433     29.670    -57.145
19     -269.96392    (可変)  1.000000                       29.605           
20      -70.40750   1.00000  1.729157   54.68    0.5444     31.238    -64.049
21      141.35971   2.95353  1.846660   23.78    0.6205     32.349    161.138
22    -5387.41703    (可変)  1.000000                       32.879           
23      608.61658   3.67957  1.516330   64.14    0.5352     49.349    306.160
24*    -214.17660   0.20000  1.000000                       49.934           
25       61.90583  11.98059  1.496999   81.54    0.5374     52.669     74.263
26      -86.14368   0.49956  1.000000                       52.517           
27       92.72322  10.44842  1.438750   94.93    0.5343     48.892     92.175
28      -69.56630   1.50000  2.001000   29.13    0.5997     47.433    -47.854
29      159.60176   5.05908  1.000000                       46.549           
30        0.00000   2.00000  1.000000                       46.736           
31       61.25142   8.18905  1.688931   31.07    0.6003     47.112     67.089
32     -183.67019  19.20874  1.000000                       46.507           
33      -64.34334   1.20000  2.001000   29.13    0.5997     32.742    -24.825
34       41.40723   7.29247  1.761821   26.52    0.6135     32.308     34.151
35      -66.20876  53.12461  1.000000                       32.389           
36      -50.54071   1.50000  2.001000   29.13    0.5997     20.337    -75.398
37     -152.77839   8.68424  1.000000                       20.793           
38       87.15253   5.67633  1.761821   26.52    0.6135     23.578     26.448
39      -25.76129   1.00000  2.001000   29.13    0.5997     23.654    -20.499
40      107.04594   1.41893  1.000000                       24.363           
41       64.34057   4.19455  1.672700   32.10    0.5988     25.505     56.285
42      -91.20360   BF       1.000000                       25.818           
像面        ∞   
非球面データ
第13面
K = 0.00000e+000  A 4= 3.52166e-006  A 6=-9.04425e-010  A 8=-4.02105e-014  A10= 2.11684e-015  A12=-4.10826e-019  
第24面
K =-8.40684e-001  A 4= 5.82961e-007  A 6= 1.12421e-010  A 8= 2.39096e-013  A10=-2.88892e-016  A12= 2.42509e-019  
各種データ
ズーム比     24.00 
広角     中間     望遠
焦点距離      50.00   500.00   1200.00  
Fナンバー      4.50     4.49    10.00  
半画角        16.49     1.70     0.71  
像高          14.80    14.80    14.80  
レンズ全長   465.00   465.00   465.00  
BF            55.00    55.00    55.00  
d12            6.31   109.89   122.42  
d19          114.62     3.35    28.63  
d22           32.62    40.31     2.50  
d42           55.00    55.00    55.00  
入射瞳位置    168.58   1476.41  3303.63  
射出瞳位置   -101.85  -101.85   -101.85  
前側主点位置  202.64   382.51  -4677.24  
後側主点位置    5.00  -445.00  -1145.00  
ズームレンズ群データ
群  始面    焦点距離  レンズ構成長  前側主点位置  後側主点位置
1    1     208.00        82.90        24.79        -44.72
2   13     -33.00        22.74         6.49         -8.60
3   20    -106.77         3.95        -0.09         -2.26
4   23      57.71       146.86       -15.60       -128.59
【００７５】
（数値実施例３）
単位 mm
面データ
面番号      r         d        nd        vd       θgF     有効径   焦点距離
1      218.94302   6.65813  1.516330   64.14    0.5352     93.000    529.651
2     1070.66547   0.50206  1.000000                       92.017           
3      161.02005   3.23908  1.772499   49.60    0.5521     88.980   -256.862
4       88.29585  16.31030  1.433870   95.10    0.5373     84.717    160.333
5     -313.23472   1.00000  1.000000                       83.571           
6     -243.00079   2.59126  1.772499   49.60    0.5521     83.421   -240.887
7      814.81381  18.09624  1.000000                       81.637           
8      145.63900   9.17696  1.433870   95.10    0.5373     75.541    241.718
9     -370.84555   0.12147  1.000000                       75.156           
10      208.55454   5.69268  1.595220   67.74    0.5442     73.381    480.783
11      753.97372    (可変)  1.000000                       72.244           
12*     187.64079   1.20000  1.754998   52.32    0.5476     36.767    -45.763
13       29.20963   6.47175  1.000000                       32.965           
14      -99.41626   1.20000  1.595220   67.74    0.5442     32.965    -46.046
15       38.19502   7.06175  1.720467   34.70    0.5834     32.710     39.996
16     -111.29401   2.02088  1.000000                       32.475           
17      -44.71072   1.20000  1.595220   67.74    0.5442     32.404    -62.827
18      235.92999   0.20000  1.000000                       32.633           
19       65.38496   3.62872  1.613397   44.30    0.5633     32.911    149.413
20      220.39947    (可変)  1.000000                       32.698           
21      -74.85518   1.20000  1.816000   46.62    0.5568     33.306    -59.919
22      144.10760   3.16986  1.846660   23.78    0.6205     34.625    126.896
23     -434.67238    (可変)  1.000000                       35.172           
24        0.00000    (可変)  1.000000                       37.252           
25      183.30520   5.47405  1.729157   54.68    0.5444     38.532     77.013
26*     -80.43620   0.15000  1.000000                       38.956           
27       37.58747   8.79605  1.438750   94.93    0.5343     39.025     70.608
28     -165.97844   1.20000  2.003300   28.27    0.5980     38.240    -94.218
29      224.71940   2.00000  1.000000                       37.679           
30       36.13538   7.12795  1.595220   67.74    0.5442     36.482     60.561
31    31120.11909  12.94012  1.000000                       35.298           
32        0.00000   0.00000  1.000000                     1000.000           
33        0.00000   0.00000  1.000000                     1000.000           
34     -819.60927   0.90000  1.882997   40.76    0.5667     23.533    -20.663
35       18.78213   6.84827  1.496999   81.54    0.5374     21.610     27.995
36      -47.70406   0.88534  1.000000                       21.415           
37      -59.01640   5.74977  1.720467   34.70    0.5834     21.210     30.706
38      -16.83295   0.90000  1.754998   52.32    0.5476     21.357    -20.274
39      181.84438   1.22273  1.000000                       21.760           
40     -135.16710   2.87717  1.720467   34.70    0.5834     21.866     96.856
41      -46.64245   4.61435  1.000000                       22.267           
42      -23.18456   1.50000  1.800999   34.97    0.5863     22.258   -112.449
43      -32.04793  32.06714  1.000000                       23.273           
44      450.56283   4.04025  1.613397   44.30    0.5633     31.295    131.694
45      -98.73303   BF       1.000000                       31.585           
像面        ∞   
非球面データ
第12面
K = 3.16458e+001  A 4=-4.96905e-008  A 6=-5.97045e-010  A 8=-3.67230e-013  A10= 8.65917e-016  A12=-1.31114e-018  
第26面
K =-9.86309e-001  A 4= 4.01809e-007  A 6= 3.60603e-010  A 8=-1.00121e-012  A10= 2.22276e-015  A12=-1.58775e-018  
各種データ
ズーム比     10.00 
広角     中間     望遠
焦点距離      45.00   180.00   450.00  
Fナンバー      4.00     4.00     5.60  
半画角        19.01     4.92     1.97  
像高          15.50    15.50    15.50  
レンズ全長   346.76   346.76   346.76  
BF            50.01    50.01    50.01  
d11            1.00    73.58    98.23  
d20          100.53    13.54     5.44  
d23            3.70    18.10     1.57  
d24            1.48     1.48     1.48  
d43           50.01    50.01    50.01  
入射瞳位置    104.81   409.26   732.51  
射出瞳位置   -135.04  -135.04  -135.04  
前側主点位置  138.87   414.18    88.21  
後側主点位置    5.01  -129.99  -399.99  
ズームレンズ群データ
群  始面    焦点距離  レンズ構成長  前側主点位置  後側主点位置
1    1     165.00        63.39        33.93        -18.44
2   12     -35.00        22.98         3.06        -13.43
3   21    -115.00         4.37        -0.55         -2.94
4   24       ∞           0.00         0.00         -0.00
5   25      56.78        99.29        10.15       -120.41
【００７６】
（数値実施例４）
単位 mm
面データ
面番号      r         d        nd        vd       θgF     有効径   焦点距離
1      203.26365  16.18658  1.516330   64.14    0.5352    140.696    372.538
2    -3744.46544   0.62000  1.000000                      139.897           
3      255.25309   4.00000  1.816000   46.62    0.5568    135.379   -310.743
4      126.62793   6.26000  1.000000                      129.259           
5      131.51692  26.20130  1.433870   95.10    0.5373    129.558    222.054
6     -341.67157   2.68000  1.000000                      128.657           
7     -272.42401   4.00000  1.754998   52.32    0.5476    127.917   -236.037
8      525.43544  16.75612  1.000000                      126.047           
9      233.96987  16.69392  1.433870   95.10    0.5373    125.391    324.664
10     -348.50969   0.15000  1.000000                      124.921           
11      196.59903   7.84025  1.593490   67.00    0.5361    118.800    567.240
12      463.22667    (可変)  1.000000                      117.622           
13      546.75468   1.80000  1.816000   46.62    0.5568     45.593    -53.964
14       40.88435   1.87376  1.000000                       41.270           
15       48.59907   9.26002  1.720467   34.70    0.5834     41.086     40.979
16      -70.41276   1.50000  1.595220   67.74    0.5442     40.183    -62.568
17       80.28215   3.39986  1.000000                       36.202           
18     -122.91019   1.50000  1.595220   67.74    0.5442     36.207    -78.325
19       75.88208   0.10000  1.000000                       34.743           
20       47.09744   3.45252  1.720467   34.70    0.5834     34.469    127.709
21       92.85223   5.00000  1.000000                       33.706           
22      -80.81558   1.40000  1.595220   67.74    0.5442     32.829    -84.129
23      133.73522    (可変)  1.000000                       32.263           
24      181.90523   5.00678  1.618000   63.33    0.5441     44.487    120.769
25     -126.03225   1.50000  1.834000   37.16    0.5775     44.664   -150.468
26*  -61694.41637   0.20000  1.000000                       45.153           
27      129.65297   6.18478  1.496999   81.54    0.5374     45.754    125.846
28     -119.59571    (可変)  1.000000                       45.875           
29      530.91679   3.86135  1.487490   70.23    0.5300     44.802    261.151
30     -167.81269   0.20000  1.000000                       44.620           
31       69.55929   1.50000  1.720467   34.70    0.5834     43.193   -134.913
32       40.29090   6.99815  1.496999   81.54    0.5374     41.536     85.522
33      692.21392    (可変)  1.000000                       41.036           
34        0.00000  10.51965  1.000000                       28.815           
35     -289.48532   1.40000  1.882997   40.76    0.5667     24.060    -62.443
36       68.75741   0.15000  1.000000                       23.527           
37       34.74080   3.50000  1.805181   25.42    0.6161     23.445     51.153
38      201.94538   1.83777  1.000000                       22.811           
39     1111.73620   1.50000  1.910820   35.25    0.5824     21.930    -45.497
40       40.18353  33.00000  1.000000                       21.089           
41      192.67363   5.00000  1.496999   81.54    0.5374     27.562    101.165
42      -67.71277   1.05263  1.000000                       27.884           
43      483.75276   1.50000  1.882997   40.76    0.5667     27.744    -42.339
44       34.84033   7.00000  1.603420   38.03    0.5835     27.520     37.797
45      -62.13777   1.13156  1.000000                       27.746           
46     -115.11309   6.00000  1.517417   52.43    0.5564     27.485    112.026
47      -39.35715   1.50000  1.882997   40.76    0.5667     27.448    -71.019
48     -106.54261   BF       1.000000                       27.865           
像面        ∞   
非球面データ
第26面
K =-6.77646e+004  A 4= 3.14453e-007  A 6=-7.70633e-012  A 8= 6.69043e-014  A10=-9.36787e-017  A12= 5.05543e-020  
各種データ
ズーム比     20.00 
広角     中間     望遠
焦点距離      45.00   450.00   900.00  
Fナンバー      4.50     4.50     6.50  
半画角        18.21     1.88     0.94  
像高          14.80    14.80    14.80  
レンズ全長   496.96   496.96   496.96  
BF            70.00    70.00    70.00  
d12            3.60   117.04   129.76  
d23          163.25    44.12     3.00  
d28           27.04     7.83    40.44  
d33            1.85    26.75    22.55  
d48           70.00    70.00    70.00  
入射瞳位置    176.91   1448.68  3058.95  
射出瞳位置    -91.64   -91.64    -91.64  
前側主点位置  209.38   645.87  -1052.08  
後側主点位置   25.00  -380.01   -830.00  
ズームレンズ群データ
群  始面    焦点距離  レンズ構成長  前側主点位置  後側主点位置
1    1     225.00       101.39        49.33        -34.73
2   13     -34.75        29.29        12.67         -7.06
3   24     105.00        12.89         4.69         -3.67
4   29     125.00        12.56         1.29         -7.01
5   34    -203.63        75.09       -40.82       -142.69
【００７７】
【表１】
0005984877.tif 000002
【００７８】
Ｕ１    第１レンズ群
Ｕ２    第２レンズ群
Ｕ１１  第１１サブレンズ群
Ｕ１２  第１２サブレンズ群
【図１】
0005984877.tif 000003
【図２】
0005984877.tif 000004
【図３】
0005984877.tif 000005
【図４】
0005984877.tif 000006
【図５】
0005984877.tif 000007
【図６】
0005984877.tif 000008
【図７】
0005984877.tif 000009
【図８】
0005984877.tif 000010
【図９】
0005984877.tif 000011
【図１０】
0005984877.tif 000012